(57)【要約】【課題】雨水の飛散による建物外壁面の汚れを防ぐことができる換気装置を提供する。【解決手段】フード部および水切り部を備える。フード部は、外壁面の換気口に設けられ、かつ下方空間に臨む通風口を有し、その換気口と通風口とを連通する。水切り部は、フード部の両側面に沿って垂れ落ちる雨水および上記通風口から流出する空気を受け、受けた雨水および空気を外壁面から離れる方向に導くとともに、上記通風口とその通風口の側方空間との間の空気の流通を抑制する。【選択図】図１
2015190698.tif 000002
【特許請求の範囲】
【請求項１】
外壁面の換気口に設けられ、かつ下方空間に臨む通風口を有し、その換気口と通風口とを連通するフード部と、
前記フード部の両側面に沿って垂れ落ちる雨水および前記通風口から流出する空気を受け、受けた雨水および空気を前記外壁面から離れる方向に導くとともに、前記通風口とその通風口の側方空間との間の空気の流通を抑制する水切り部と、
を備えることを特徴とする換気装置。
【請求項２】
前記水切り部は、前記外壁面側から斜め下方向に傾斜する傾斜面と、この傾斜面の両側縁部から上方に立上がる一対の立上がり部とを含み、前記フード部の両側面に沿って垂れ落ちる雨水および前記通風口から流出する空気を前記傾斜面で受け、受けた雨水および空気を同傾斜面により前記外壁面から離れる方向に導くとともに、前記通風口とその通風口の側方空間との間の空気の流通を抑制する
ことを特徴とする請求項１記載の換気装置。
【請求項３】
前記一対の立上がり部の相互間隔は、前記フード部の両側面の相互間隔より大きく、
前記一対の立上がり部の上縁の高さ位置は、前記通風口の高さ位置とほぼ同じまたはそれより高い
ことを特徴とする請求項２記載の換気装置。
【請求項４】
前記フード部の厚み方向における前記傾斜面の幅は、前記フード部の厚み方向における前記通風口の幅の少なくとも１／３以上である
ことを特徴とする請求項２または請求項３記載の換気装置。
【請求項５】
前記外壁面の換気口に入り込む筒状部と、
前記外壁面に取付けられ、前記フード部、前記水切り部、および前記筒状部を保持するベースプレートと、
をさらに備えることを特徴とする請求項１乃至請求項４のいずれか記載の換気装置。
【発明の詳細な説明】
【技術分野】
【０００１】
本発明の実施形態は、建物の外壁面に取付けられる換気装置に関する。
【背景技術】
【０００２】
一般に、換気装置は、建物の外壁面の換気口に取付けられるフード部を備え、換気口からフード部に流入する空気を下方に導いたり、あるいは周囲の外気をフード部に取込んでそれを換気口を通して建物内に導くことができる。
【先行技術文献】
【特許文献】
【０００３】
【特許文献１】特開２０１１−１９０９７１号公報
【特許文献２】特開２０１１−５８７３５号公報
【発明の概要】
【発明が解決しようとする課題】
【０００４】
フード部に当たる雨水は、フード部の外周面に沿って垂れ落ちる。このとき、垂れ落ちる雨水がフード部の吹き出し空気に当たって飛散する。飛散した雨水は、外壁面に付着して外壁面を汚してしまう。吹き出し空気に汚れ（例えば油汚れ）が含まれている場合は、外壁面の汚れがひどくなる。
【０００５】
本発明の実施形態の目的は、雨水の飛散による建物外壁面の汚れを防ぐことができる換気装置を提供することである。
【課題を解決するための手段】
【０００６】
請求項１の換気装置は、フード部および水切り部を備える。フード部は、外壁面の換気口に設けられ、かつ下方空間に臨む通風口を有し、その換気口と通風口とを連通する。水切り部は、前記フード部の両側面に沿って垂れ落ちる雨水および前記通風口から流出する空気を受け、受けた雨水および空気を前記外壁面から離れる方向に導くとともに、前記通風口とその通風口の側方空間との間の空気の流通を抑制する。
【図面の簡単な説明】
【０００７】
【図１】一実施形態の外観を斜め下方向から見た斜視図。
【図２】同実施形態の外観を正面から見た図。
【図３】同実施形態の外観を側方から見た図。
【図４】同実施形態の分解斜視図。
【図５】同実施形態の断面図。
【発明を実施するための形態】
【０００８】
以下、一実施形態について図面を参照して説明する。
【０００９】
斜め下方向から見たフード部の外観を図１に示し、正面から見たフード部の外観を図２に示し、側方から見たフード部の外観および外壁面を図３に示している。さらに、フード部およびベースプレートの構成を図４に分解して示し、フード部およびベースプレートの断面を外壁面の断面と共に図５に示している。
【００１０】
図１〜図５において、フード部（パイプフード部ともいう）１は、前面２、左側面３、右側面４、天井面５で囲まれた箱形形状を有し、かつ、背面側に開口６、下面側に通風口７を有する。通風口７は、フード部１の下方空間に臨む。この通風口７に、螺子１３，１３を用いてガラリ８が装着される。ガラリ８は、通風口７から出る空気を多数枚の整流板によって前面側斜め下方向に流す。ここで、ガラリ８の整流板は前面２側に位置するものほど、空気の流れを外壁面から遠ざけるように傾斜していることが望ましい。これにより、通風口７から吹出した直後の空気は、外壁面側から前面２側へ向かって拡散するように流れ、通風口７の側面空間への空気の流れを抑えることができる。
【００１１】
図４に示すように、ベースプレート２１は、フード部１の開口６に嵌合し得る矩形形状を有し、その嵌合時に開口６の内周面に面接触する折れ曲がり片２２，２３，２４を左側縁部、右側縁部、上縁部にそれぞれ有するとともに、円形の開口２５を板面中央に有する。このベースプレート２１の背面側に、かつ開口２５と対応する位置に、円筒型の筒状部２６が螺子止め装着される。
【００１２】
ベースプレート２１は、図５に示すように、建物の外壁面４０における換気口４１に対し、螺子２７ａ，２７ｂの螺合により取付けられる。換気口４１にはパイプ４２が嵌合されており、ベースプレート２１の取付けに伴い、筒状部２６がパイプ４２の内側に入り込む。
【００１３】
ベースプレート２１は、前面の上部に、フード部取付け用の一対のフック２８ａ，２８ｂを有する。フード部１は、天井面５の裏側に爪部９ａ（９ｂ）を有する。爪部９ａ（９ｂ）は、ベースプレート２１に対するフード部１の取付けに際し、フック２８ａ，２８ｂに係止される。この係止により、フード部１がベースプレート２１に保持される。
【００１４】
また、ベースプレート２１の下縁部に、水切り部３０が一体的に設けられる。水切り部３０は、外壁面４０側から斜め下方向に傾斜する傾斜面３１と、この傾斜面３１の両側縁部から上方に立上がる一対の立上がり部３２，３３とを含み、フード部１の左側面３および右側面４に沿って垂れ落ちる雨水および通風口７から流出する空気を受け、受けた雨水および空気を外壁面４０から離れる方向に導くとともに、通風口７とその通風口７の側方空間（立上がり部３２，３３の外側に存する空間のこと）との間の空気の流通を抑制し、この抑制に伴い通風口７の側方空間から外壁面に向かう空気の流れを阻止する。
【００１５】
フード部１の左側面３および右側面４の内面の下部に、それぞれブラケット１１が装着される。ブラケット１１は、ガラリ８を装着するための螺子１２，１２の螺合を受ける。
【００１６】
また、ブラケット１１は、ベースプレート２１に対するフード部１の取付けに伴い、通風口７を通り、かつ内側に屈曲して水切り部３０の傾斜面３１の上部板面に面接触する。この面接触の部分に螺子１３，１３が挿通され、その螺子１３，１３の先端が外壁面４０に螺合される。これにより、ベースプレート２１に対するフード部１の取付けが完了し、フード部１および筒状部２６が水切り部３０と共にベースプレート２１に保持された状態となる。そして、ベースプレート２１と外壁面４０との間の隙間に、コーキング処理が施される。
【００１７】
水切り部３０の傾斜面３１の角度は、外壁面４０に対しほぼ４５°である。水切り部３０の立上がり部３２，３３は、外壁面４０に対しほぼ直角となる上縁３２ａ，３３ａを有するとともに、外壁面４０に対しほぼ平行となる前縁３２ｂ，３３ｂを有する。
【００１８】
水切り部３０の傾斜面３１は、フード部１の厚み方向における幅が、フード部１の厚み方向における通風口７の幅の少なくとも１／３以上である。
【００１９】
水切り部３０の立上がり部３２，３３の内周面の相互間隔Ａは、フード部の左側面３および右側面４の相互間隔Ｂより大きい。これにより、フード部の左側面３と立上がり部３２との間に間隔Ｘ［＝（Ａ−Ｂ）／２］の隙間が確保され、フード部の右側面４と立上がり部３３との間にも、同じ間隔Ｘの隙間が確保される。
【００２０】
水切り部３０の立上がり部３２，３３の上縁３２ａ，３３ａの高さ位置は、通風口７の開口面の高さ位置よりも、所定長さＹだけ高い。
【００２１】
以上のフード部１、ベースプレート２１、水切り部３０により、換気装置が構成される。
【００２２】
フード部１の左側面３に付着して垂れ落ちる雨水は、左側面３と立上がり部３２との間の隙間を通って傾斜面３１に落下する。フード部１の右側面４に付着して垂れ落ちる雨水は、右側面４と立上がり部３３との間の隙間を通って傾斜面３１に落下する。傾斜面３１に落下した雨水は、外壁面４０から離れていくように水切り部３０の傾斜面３１に沿って流れ、傾斜面３１の前縁から排出される。さらに、通風口７から空気が吹出すと、巻き込み風の発生により、図２に矢印で示すように右側面３及び左側面４に沿いつつ間隔Ｘの隙間に向かう空気の流れが発生し、右側面３及び左側面４に付着した雨滴をより確実に水切り部３０へ落下させることができる。
【００２３】
建物内の例えば換気ファンの排気運転によって換気口４１に流入する空気は、換気口４１内のパイプ４２および筒状部２６を通ってフード部１の内部空間に流れる。フード部１の内部空間に流れた空気は、フード部１の通風口７に導かれ、そこからガラリ８を通って吹き出される。吹き出された空気は、外壁面４０から離れていくように傾斜面３１に沿って流れ、傾斜面３１の前縁から排出される。このとき、傾斜面３１に沿って流れる空気は、立上り部３２，３３が壁となって存在するので、外壁面近傍において通風口７の側方空間に流れない。
【００２４】
このように、フード部１から垂れ落ちる雨水および通風口７の吹き出し空気を水切り部３０で受けて外壁面４０から離れた方向に強制的に導くことにより、垂れ落ちる雨水が飛散して外壁面４０に付着する不具合を防ぐことができる。通風口７の吹き出し空気が外壁面４０に付着することもない。よって、通風口７の吹き出し空気に含まれる汚れ（例えば油汚れ）が外壁面４０に付着することもない。
【００２５】
建物内の例えば換気ファンが吸気運転されると、フード部１の下方空間に存する外気が傾斜面３１に沿って通風口７に流れる。通風口７に流れた外気は、通風口７からフード部１の内部空間を通って換気口４１に流入し、その換気口４１を通って建物の室内空間に流れる。このとき、通風口７の側方に立上り部３２，３３が壁となって存在するので、通風口７の側方空間に存する外気が通風口７に流れ込まない。よって、雨水や虫が外気といっしょにフード部１に取込まれてそのまま建物内に流れてしまう不具合を防ぐことができる。
【００２６】
［変形例］  
上記実施形態では、立上がり部３２，３３の上縁３２ａ，３３ａの高さ位置を通風口７の開口面の高さ位置よりも高く設定したが、立上がり部３２，３３の上縁３２ａ，３３ａの高さ位置を通風口７の開口面の高さ位置とほぼ同じまたは少し下に設定しても、同様の効果が得られる。要は、通風口７の側方空間から通風口７への空気の流入を抑制できる高さ位置であればよい。
【００２７】
上記実施形態では、傾斜面３１の角度を外壁面４０に対してほぼ４５°としたが、これは実験により得られた最適値である。この最適値については、通風口７の形状や大きさ、フード部１の内部空間の容量、建物内の排気ファンの能力などに応じて適宜に変更可能である。
【００２８】
上記実施形態では、フード部１の厚み方向における傾斜面３１の幅を、フード部１の厚み方向における通風口７の幅の少なくとも１／３以上としたが、これは実験により得られた最適値である。この最適値については、通風口７の形状や大きさ、フード部１の内部空間の容量、建物内の排気ファンの能力などに応じて適宜に変更可能である。
【００２９】
上記実施形態では、水切り部３０をベースプレート２１の下縁部に一体的に設ける構成を例に説明したが、水切り部３０をベースプレート２１の下縁部に着脱自在に設ける構成としてもよい。
【００３０】
その他、上記各実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００３１】
１…フード部、２…前面、３…左側面、４…右側面、５…天井面、６…背面側開口、７…通風口、８…ガラリ、１１ａ…ブラケット、１２ａ，１２ｂ，１３ａ，１３ｂ…螺子、２１…ベースプレート、２２，２３，２４…折れ曲がり片、２５…開口、２６…筒状部、２７ａ，２７ｂ…螺子、３０…水切り部、３１…傾斜面、３２，３３…立上がり部、３２ａ，３３ａ…上縁、４０…外壁面、４１…換気口、４２…パイプ
【図１】
2015190698.tif 000003
【図２】
2015190698.tif 000004
【図３】
2015190698.tif 000005
【図４】
2015190698.tif 000006
【図５】
2015190698.tif 000007